(57)【要約】【課題】記録媒体間のコンテンツの管理を容易にすることが可能な技術を提供する。【解決手段】記録再生装置1は、記録媒体(60)が交換可能に接続される記録媒体接続部(50)と、該記録媒体接続部(50)に接続された記録媒体(60)に記録されているコンテンツCT1の一覧を表す一覧情報DA1を記憶する一覧情報記憶手段(30)と、記録媒体接続部(50)に接続されたことがある記録媒体(60)について、一覧情報記憶手段(30)に記憶されている一覧情報DA1に従って記録媒体(60)間にわたる編集を受け付けるためのコンテンツリストL1を表示部(80)に表示させるリスト表示制御手段U1と、コンテンツリストL1に対する編集を受け付ける編集手段U2と、記録媒体接続部(50)に記録媒体(60)が接続されたことをトリガーとして、該記録媒体(60)に記録されているコンテンツCT1に対して受け付けた編集に従った処理を行うコンテンツ処理手段U3と、を備える。【選択図】図８
2016015595.tif 000002
【特許請求の範囲】
【請求項１】
記録媒体が交換可能に接続される記録媒体接続部と、
該記録媒体接続部に接続された記録媒体に記録されているコンテンツの一覧を表す一覧情報を記憶する一覧情報記憶手段と、
前記記録媒体接続部に接続されたことがある記録媒体について、前記一覧情報記憶手段に記憶されている一覧情報に従って記録媒体間にわたる編集を受け付けるためのコンテンツリストを表示部に表示させるリスト表示制御手段と、
前記コンテンツリストに対する編集を受け付ける編集手段と、
前記記録媒体接続部に記録媒体が接続されたことをトリガーとして、該記録媒体に記録されているコンテンツに対して前記受け付けた編集に従った処理を行うコンテンツ処理手段と、を備えた記録再生装置。
【請求項２】
前記編集手段が第一の記録媒体に記録されているコンテンツを第二の記録媒体に書き込む編集を受け付けた場合、前記コンテンツ処理手段は、前記第一の記録媒体が前記記録媒体接続部に接続されると該接続をトリガーとして前記第一の記録媒体に記録されているコピー対象のコンテンツを記憶部に読み込み、その後、前記第二の記録媒体が前記記録媒体接続部に接続されると該接続をトリガーとして前記記憶部に読み込まれた書き込み対象のコンテンツを前記第二の記録媒体に書き込む、請求項１に記載の記録再生装置。
【請求項３】
前記コンテンツ処理手段は、前記記録媒体接続部に前記第一の記録媒体及び前記第二の記録媒体が接続されている場合、前記第一の記録媒体に記録されているコピー対象のコンテンツを直接、前記第二の記録媒体にコピーする、請求項２に記載の記録再生装置。
【請求項４】
前記編集手段が第一の記録媒体に記録されているコンテンツを第二の記録媒体に移動する編集を受け付けた場合、前記コンテンツ処理手段は、前記第一の記録媒体が前記記録媒体接続部に接続されると該接続をトリガーとして前記第一の記録媒体に記録されている移動対象のコンテンツを記憶部に移動させ、その後、前記第二の記録媒体が前記記録媒体接続部に接続されると該接続をトリガーとして前記記憶部に記憶されている移動対象のコンテンツを前記第二の記録媒体に書き込む、請求項１〜請求項３のいずれか一項に記載の記録再生装置。
【請求項５】
前記コンテンツ処理手段は、前記記録媒体接続部に前記第一の記録媒体及び前記第二の記録媒体が接続されている場合、前記第一の記録媒体に記録されている移動対象のコンテンツを直接、前記第二の記録媒体に移動させる、請求項４に記載の記録再生装置。
【請求項６】
前記編集手段が記録媒体に記録されているコンテンツに対して削除、保護の設定、及び、保護の解除のすくなくとも一つを含む編集を受け付けた場合、前記コンテンツ処理手段は、該編集対象のコンテンツを記録している記録媒体が前記記録媒体接続部に接続されると該接続をトリガーとして前記編集対象のコンテンツに対して前記受け付けた編集に従った処理を行う、請求項１〜請求項５のいずれか一項に記載の記録再生装置。
【請求項７】
前記一覧情報記憶手段は、前記記録媒体接続部に接続された記録媒体の記録残量を記憶し、
前記編集手段は、第一の記録媒体に記録されているコンテンツを第二の記録媒体に書き込む編集を受け付けた場合、前記第二の記録媒体の記録残量が前記第一の記録媒体に記録されている書き込み対象のコンテンツの容量よりも少ないときに前記書き込み対象のコンテンツの情報量を前記第二の記録媒体の記録残量以下に減らすように編集を受け付け、
前記コンテンツ処理手段は、前記書き込み対象のコンテンツの情報量を前記第二の記録媒体の記録残量以下に減らして前記書き込み対象のコンテンツを前記第二の記録媒体に書き込む、請求項１〜請求項６のいずれか一項に記載の記録再生装置。
【請求項８】
記録媒体が交換可能に接続される記録媒体接続部に接続された記録媒体に記録されているコンテンツの一覧を表す一覧情報を記憶し、
前記記録媒体接続部に接続されたことがある記録媒体について、前記記憶している一覧情報に従って記録媒体間にわたる編集を受け付けるためのコンテンツリストを表示部に表示させ、
前記コンテンツリストに対する編集を受け付け、
前記記録媒体接続部に記録媒体が接続されたことをトリガーとして、該記録媒体に記録されているコンテンツに対して前記受け付けた編集に従った処理を行う、コンテンツ処理方法。
【請求項９】
記録媒体が交換可能に接続される記録媒体接続部に接続された記録媒体に記録されているコンテンツの一覧を表す一覧情報を記憶する一覧情報記憶機能と、
前記記録媒体接続部に接続されたことがある記録媒体について、前記記憶している一覧情報に従って記録媒体間にわたる編集を受け付けるためのコンテンツリストを表示部に表示させるリスト表示制御機能と、
前記コンテンツリストに対する編集を受け付ける編集機能と、
前記記録媒体接続部に記録媒体が接続されたことをトリガーとして、該記録媒体に記録されているコンテンツに対して前記受け付けた編集に従った処理を行うコンテンツ処理機能と、をコンピューターに実現させるコンテンツ処理プログラム。
【発明の詳細な説明】
【技術分野】
【０００１】
本発明は、記録再生装置、コンテンツ処理方法、及び、コンテンツ処理プログラムに関する。
【背景技術】
【０００２】
例えば、ハードディスクレコーダーといった記録再生装置は、ｉＶＤＲ（information versatile disk for removable usage）規格のリムーバブルハードディスクといったリムーバブルメディアを接続可能である。リムーバブルメディアに記録された録画コンテンツに対する編集は、リムーバブルメディアが記録再生装置に接続されているときに表示される録画リストに対して行われている。
【０００３】
特許文献１に示される記録再生装置は、記録メディア３枚分のコンテンツリストを選択的に表示して記録メディア間のコンテンツの移動及び複写処理を行うことが可能である。この記録再生装置は、コンテンツを移動する場合、移動するコンテンツが記録された記録メディアの挿入をユーザーに促すメッセージを表示し、記録メディアが挿入されると、移動するコンテンツとして選択されたコンテンツを挿入された記録メディアから読み込み、記憶部に保存する。記憶部にコンテンツの保存を完了すると、記録メディアからそのコンテンツを消去する。その後、前記記録再生装置は、移動先の記録メディアの挿入をユーザーに促すメッセージを表示し、移動先の記録メディアが挿入されると、記憶部に保存したコンテンツを挿入された記録メディアに記録する。
【先行技術文献】
【特許文献】
【０００４】
【特許文献１】特開２００８−１３１２１５号公報
【発明の概要】
【発明が解決しようとする課題】
【０００５】
ユーザーは、コンテンツ移動の編集作業を行った直後に、移動元の記録メディアを挿入してコンテンツを記録再生装置に記憶させる作業、及び、移動先の記録メディアを挿入してコンテンツを記録させる作業を行う必要がある。また、移動先の記録メディアの挿入を促すメッセージが表示されているときに移動先の記録メディアが挿入されないと、移動処理が止まってしまい、記録再生装置は他の処理を行うことができない。移動元の記録メディアの挿入を促すメッセージが表示されているときに移動元の記録メディアが挿入されない場合も、同様である。尚、このような問題は、ハードディスクレコーダーに限らず、種々の記録再生装置についても、同様に存在する。
【０００６】
本発明は、記録媒体間のコンテンツの管理を容易にすることが可能な技術を提供する目的を有している。
【課題を解決するための手段】
【０００７】
本発明の記録再生装置は、記録媒体が交換可能に接続される記録媒体接続部と、
該記録媒体接続部に接続された記録媒体に記録されているコンテンツの一覧を表す一覧情報を記憶する一覧情報記憶手段と、
前記記録媒体接続部に接続されたことがある記録媒体について、前記一覧情報記憶手段に記憶されている一覧情報に従って記録媒体間にわたる編集を受け付けるためのコンテンツリストを表示部に表示させるリスト表示制御手段と、
前記コンテンツリストに対する編集を受け付ける編集手段と、
前記記録媒体接続部に記録媒体が接続されたことをトリガーとして、該記録媒体に記録されているコンテンツに対して前記受け付けた編集に従った処理を行うコンテンツ処理手段と、を備えた、態様を有する。
【０００８】
また、本発明のコンテンツ処理方法は、記録媒体が交換可能に接続される記録媒体接続部に接続された記録媒体に記録されているコンテンツの一覧を表す一覧情報を記憶し、
前記記録媒体接続部に接続されたことがある記録媒体について、前記記憶している一覧情報に従って記録媒体間にわたる編集を受け付けるためのコンテンツリストを表示部に表示させ、
前記コンテンツリストに対する編集を受け付け、
前記記録媒体接続部に記録媒体が接続されたことをトリガーとして、該記録媒体に記録されているコンテンツに対して前記受け付けた編集に従った処理を行う、態様を有する。
【０００９】
さらに、本発明のコンテンツ処理プログラムは、記録媒体が交換可能に接続される記録媒体接続部に接続された記録媒体に記録されているコンテンツの一覧を表す一覧情報を記憶する一覧情報記憶機能と、
前記記録媒体接続部に接続されたことがある記録媒体について、前記記憶している一覧情報に従って記録媒体間にわたる編集を受け付けるためのコンテンツリストを表示部に表示させるリスト表示制御機能と、
前記コンテンツリストに対する編集を受け付ける編集機能と、
前記記録媒体接続部に記録媒体が接続されたことをトリガーとして、該記録媒体に記録されているコンテンツに対して前記受け付けた編集に従った処理を行うコンテンツ処理機能と、をコンピューターに実現させる、態様を有する。
【発明の効果】
【００１０】
請求項１に係る発明によれば、記録媒体間のコンテンツの管理を容易にすることが可能な記録再生装置を提供することができる。
請求項２に係る発明では、記録媒体間のコンテンツの書き込みを容易に行うことが可能な記録再生装置を提供することができる。
請求項３に係る発明では、利便性を向上させることができる。
請求項４に係る発明では、記録媒体間のコンテンツの移動を容易に行うことが可能な記録再生装置を提供することができる。
請求項５に係る発明では、利便性を向上させることができる。
請求項６に係る発明では、削除、保護の設定、及び、保護の解除を含むコンテンツの編集を容易に行うことが可能な記録再生装置を提供することができる。
請求項７に係る発明では、記録媒体間のコンテンツの書き込みをさらに容易に行うことが可能な記録再生装置を提供することができる。
請求項８に係る発明によれば、記録媒体間のコンテンツの管理を容易にすることが可能なコンテンツ処理方法を提供することができる。
請求項９に係る発明によれば、記録媒体間のコンテンツの管理を容易にする機能をコンピューターに実現させることが可能なコンテンツ処理プログラムを提供することができる。
【図面の簡単な説明】
【００１１】
【図１】記録再生装置を含む表示システムの構成例を模式的に示すブロック図。
【図２】記録媒体に保持される情報の構造例を模式的に示す図。
【図３】コンテンツの一覧情報の構造例を模式的に示す図。
【図４】コンテンツリストを表示した画面例を模式的に示す図。
【図５】コマンドリストの構造例を模式的に示す図。
【図６】コンテンツ編集処理の例を示すフローチャート。
【図７】編集コマンド実行処理の例を示すフローチャート。
【図８】接続初期処理の例を示すフローチャート。
【図９】コピーコマンド実行処理の例を示すフローチャート。
【図１０】移動コマンド実行処理の例を示すフローチャート。
【図１１】削除コマンド実行処理の例を示すフローチャート。
【図１２】保護設定コマンド実行処理の例を示すフローチャート。
【図１３】保護解除コマンド実行処理の例を示すフローチャート。
【図１４】第二の例における編集コマンド実行処理を示すフローチャート。
【図１５】第三の例における編集受け付け処理を示すフローチャート。
【発明を実施するための形態】
【００１２】
以下、本発明の実施形態を説明する。むろん、以下に説明する実施形態は、本発明を例示するものに過ぎない。
【００１３】
（１）記録再生装置、コンテンツ処理方法、及び、コンテンツ処理プログラムの概要：
まず、図１〜１５を適宜参照して、記録再生装置、コンテンツ処理方法、及び、コンテンツ処理プログラムの概要を説明する。
【００１４】
［態様１］（図１〜１５参照）
記録再生装置１は、基本要素として、記録媒体接続部（図１ではコネクタ５０）、一覧情報記憶手段（図１では不揮発性メモリ３０）、リスト表示制御手段Ｕ１、編集手段Ｕ２、及び、コンテンツ処理手段Ｕ３を備える。記録媒体接続部（５０）は、記録媒体（図１ではリムーバブルメディア６０）が交換可能に接続される。一覧情報記憶手段（３０）は、前記記録媒体接続部（５０）に接続された記録媒体（６０）に記録されているコンテンツＣＴ１の一覧を表す一覧情報ＤＡ１を記憶する。リスト表示制御手段Ｕ１は、前記記録媒体接続部（５０）に接続されたことがある記録媒体（６０）について、前記一覧情報記憶手段（３０）に記憶されている一覧情報ＤＡ１に従って記録媒体（６０）間にわたる編集を受け付けるためのコンテンツリストＬ１を表示部（例えば表示装置８０）に表示させる。編集手段Ｕ２は、前記コンテンツリストＬ１に対する編集を受け付ける。コンテンツ処理手段Ｕ３は、前記記録媒体接続部（５０）に記録媒体（６０）が接続されたことをトリガーとして、該記録媒体（６０）に記録されているコンテンツＣＴ１に対して前記受け付けた編集に従った処理を行う。
【００１５】
コンテンツリストＬ１に対する編集に従った処理は、記録媒体接続部（５０）に記録媒体（６０）が接続されたことをトリガーとして行われる。このため、ユーザーは、コンテンツリストＬ１に対する編集を行った直後に記録媒体（６０）を接続する作業を行う必要が無い。従って、本態様は、記録媒体（６０）間のコンテンツＣＴ１の管理を容易にすることが可能な技術を提供することができる。
尚、記録媒体には、ハードディスク、フラッシュメモリ、ＢＤ（ブルーレイディスク）、ＤＶＤ（Digital Versatile Disc）、ＣＤ（Compact Disc）、等が含まれる。記録再生装置には、表示装置といった別の装置と一体化された装置が含まれる。むろん、記録再生装置は、車載用でもよいし、車載用でなくてもよい。
前記コンテンツリストに対する編集には、コンテンツのコピー、コンテンツの移動、コンテンツの削除、コンテンツの保護設定、コンテンツの保護解除、等が含まれる。尚、コンテンツの保護は、コンテンツに対して削除等の変更を禁止することを意味する。
【００１６】
［態様２］（図１〜９，１４，１５参照）
前記編集手段Ｕ２が第一の記録媒体（６１）に記録されているコンテンツＣＴ１を第二の記録媒体（６２）に書き込む編集を受け付けた場合、前記コンテンツ処理手段Ｕ３は、前記第一の記録媒体（６１）が前記記録媒体接続部（５０）に接続されると該接続をトリガーとして前記第一の記録媒体（６１）に記録されているコピー対象のコンテンツＣＴ１を記憶部（図１では内蔵ハードディスクドライブ４０）に読み込み、その後、前記第二の記録媒体（６２）が前記記録媒体接続部（５０）に接続されると該接続をトリガーとして前記記憶部（４０）に読み込まれた書き込み対象のコンテンツＣＴ１を前記第二の記録媒体（６２）に書き込んでもよい。この態様は、記録媒体間のコンテンツの書き込みを容易に行うことが可能な記録再生装置を提供することができる。
尚、書き込む編集には、コンテンツをコピーする編集、コンテンツを移動させる編集、等が含まれる。
【００１７】
［態様３］（図１４参照）
前記コンテンツ処理手段Ｕ３は、前記記録媒体接続部（５０）に前記第一の記録媒体（６１）及び前記第二の記録媒体（６２）が接続されている場合、前記第一の記録媒体（６１）に記録されているコピー対象のコンテンツＣＴ１を直接、前記第二の記録媒体（６２）にコピーしてもよい。この態様は、記録媒体接続部（５０）に第一の記録媒体（６１）及び第二の記録媒体（６２）が接続されている場合にコンテンツＣＴ１が直接コピーされるので、利便性を向上させることができる。
【００１８】
［態様４］（図１〜８，１０，１４，１５参照）
前記編集手段Ｕ２が第一の記録媒体（６１）に記録されているコンテンツＣＴ１を第二の記録媒体（６２）に移動する編集を受け付けた場合、前記コンテンツ処理手段Ｕ３は、前記第一の記録媒体（６１）が前記記録媒体接続部（５０）に接続されると該接続をトリガーとして前記第一の記録媒体（６１）に記録されている移動対象のコンテンツＣＴ１を記憶部（４０）に移動させ、その後、前記第二の記録媒体（６２）が前記記録媒体接続部（５０）に接続されると該接続をトリガーとして前記記憶部（４０）に記憶されている移動対象のコンテンツＣＴ１を前記第二の記録媒体（６２）に書き込んでもよい。この態様は、記録媒体（６０）間のコンテンツＣＴ１の移動を容易に行うことが可能な記録再生装置を提供することができる。
【００１９】
［態様５］（図１４参照）
前記コンテンツ処理手段Ｕ３は、前記記録媒体接続部（５０）に前記第一の記録媒体（６１）及び前記第二の記録媒体（６２）が接続されている場合、前記第一の記録媒体（６１）に記録されている移動対象のコンテンツＣＴ１を直接、前記第二の記録媒体（６２）に移動させてもよい。この態様は、記録媒体接続部（５０）に第一の記録媒体（６１）及び第二の記録媒体（６２）が接続されている場合にコンテンツＣＴ１が直接移動するので、利便性を向上させることができる。
【００２０】
［態様６］（図１〜８，１１〜１３参照）
前記編集手段Ｕ２が記録媒体（６０）に記録されているコンテンツＣＴ１に対して削除、保護の設定、及び、保護の解除の少なくとも一つを含む編集を受け付けた場合、前記コンテンツ処理手段Ｕ３は、該編集対象のコンテンツＣＴ１を記録している記録媒体（６０）が前記記録媒体接続部（５０）に接続されると該接続をトリガーとして前記編集対象のコンテンツＣＴ１に対して前記受け付けた編集に従った処理を行ってもよい。この態様は、削除、保護の設定、及び、保護の解除の少なくとも一つを含むコンテンツＣＴ１の編集を容易に行うことが可能な記録再生装置を提供することができる。
【００２１】
［態様７］（図１５参照）
前記一覧情報記憶手段（３０）は、前記記録媒体接続部（５０）に接続された記録媒体（６０）の記録残量を記憶してもよい。前記編集手段Ｕ２は、第一の記録媒体（６１）に記録されているコンテンツＣＴ１を第二の記録媒体（６２）に書き込む編集を受け付けた場合、前記第二の記録媒体（６２）の記録残量が前記第一の記録媒体（６１）に記録されている書き込み対象のコンテンツＣＴ１の容量よりも少ないときに前記書き込み対象のコンテンツＣＴ１の情報量を前記第二の記録媒体（６２）の記録残量以下に減らすように編集を受け付けてもよい。前記コンテンツ処理手段Ｕ３は、前記書き込み対象のコンテンツＣＴ１の情報量を前記第二の記録媒体（６２）の記録残量以下に減らして前記書き込み対象のコンテンツＣＴ１を前記第二の記録媒体（６２）に書き込んでもよい。本態様は、書き込む記録媒体（６０）の残量が少なくても情報量が減らされて記録媒体（６０）に書き込まれるので、記録媒体間のコンテンツの書き込みをさらに容易に行うことが可能な記録再生装置を提供することができる。
【００２２】
［態様８］（図１〜１５参照）
上記態様１〜７のいずれかの記録再生装置に対応したコンテンツ処理方法の態様も、上述した効果を奏する。
【００２３】
［態様９］（図１〜１５参照）
上記態様１〜７のいずれかの記録再生装置に対応したコンテンツ処理プログラムの態様も、上述した効果を奏する。
【００２４】
（２）記録再生装置の構成例の説明：
まず、後述する各種の例に共通の記録再生装置の構成例を説明する。
図１は、記録再生装置１を含む表示システムの構成例を模式的に示している。図２は、リムーバブルメディア（記録媒体）６０に保持される情報の例を模式的に示している。図３は、コンテンツＣＴ１の一覧情報ＤＡ１の構造例を模式的に示している。図４は、コンテンツリストＬ１を表示した画面８１の例を模式的に示している。図５は、コマンドリストＣＭＬの構造例を模式的に示している。
記録再生装置１は、例えば、表示システムの構成要素１０，１４，１５，２１〜２４，３０，４０，５０，６０，８０のうちリムーバブルメディア６０及び表示装置（表示部）８０を除いた構成要素１０，１４，１５，２１〜２４，３０，４０，５０で構成することができる。この場合、リモコン（リモートコントローラ）１５とチューナ２１は、省略可能である。記録再生装置１がテレビジョン受像機（ＴＶ）である場合、記録再生装置１は、表示システムの構成要素のうちリムーバブルメディア６０を除いた構成要素１０，１４，１５，２１〜２４，３０，４０，５０，８０で構成することができる。この場合、リモコン１５は、省略可能である。
【００２５】
図１に示す記録再生装置１は、複数のデジタルチューナ２１、デマルチプレクサ２２、デコーダ２３、情報合成部２４、内蔵ハードディスクドライブ（ＨＤＤ）４０、コネクタ（記録媒体接続部）５０、操作部１４、主制御部１０、不揮発性メモリ（一覧情報記憶手段）３０、等を備えている。主制御部１０は、ＣＰＵ（Central Processing Unit）１１、メモリ１２、タイマ回路１３、等を備えている。メモリ１２には、例えば、ＲＯＭ（Read Only Memory）、及び、ＲＡＭ（Random Access Memory）が含まれる。
【００２６】
各チューナ２１は、トランスポートストリーム（ＴＳ）を含むデジタル放送信号を受信して復調する。本記録再生装置は、指定された複数のチャンネルで受信されるテレビコンテンツを同時に並行して録画することが可能である。複数のチューナ２１には、例えば、複数の地デジチューナ（地上デジタル放送用のチューナ）、複数のＢＳ（Broadcasting Satellite）チューナ（ＢＳデジタル放送用のチューナ）、及び、複数のＣＳ（Communication Satellite）チューナ（ＣＳ放送用のチューナ）が含まれる。むろん、これらのチューナ以外のチューナ（例えばアナログチューナ）が複数のチューナ２１に含まれてもよい。
【００２７】
デマルチプレクサ２２は、デジタル放送信号から映像データや音声データ等を分離する。分離されるデータには、図２に示すように、映像データ及び音声データ等を含むコンテンツＣＴ１に付加される付加情報ＤＡ２が含まれる。デマルチプレクサ２２は、デジタル放送信号に重畳されているＥＰＧ（Electronic Program Guide；電子番組ガイド）情報等を抽出することも可能である。デコーダ２３は、前記映像データ及び前記音声データをデコードして映像信号及び音声信号に変換する。情報合成部２４は、主制御部１０からのＯＳＤ（On Screen Display）信号と前記映像信号とを合成したり、主制御部１０からの音声合成用信号と前記音声信号とを合成したりする。図４に示すコンテンツリストＬ１は、ＯＳＤ信号として映像信号に重畳される。情報合成部２４からの映像信号は、ビデオ出力端子を介してＴＶといった外部機器（図１では表示装置８０）に供給される。コンテンツリストＬ１を含む映像信号は、情報合成部２４からビデオ出力端子を通って表示装置８０等に入り、コンテンツリストＬ１が画面８１に表示される。情報合成部２４からの音声信号は、オーディオ出力端子を介してＴＶといった外部機器（図１では表示装置８０）に供給される。尚、デマルチプレクサ２２、デコーダ２３、及び、情報合成部２４は、例えば、ＳｏＣ（System on a Chip）等により構成することができる。
【００２８】
内蔵ＨＤＤ（記憶部）４０は、記録媒体の一種であるハードディスクを有している。本記録再生装置には、例えばＵＳＢ（universal serial bus）インターフェイス規格のコネクタ（記録媒体接続部）５０にリムーバブルメディア（記録媒体）６０を接続可能である。リムーバブルメディア６０には、ｉＶＤＲ規格等の外付けハードディスクドライブ（ＨＤＤ）、外付け光ディスクドライブ、等を用いることができる。コネクタ５０には、記録媒体（例えばリムーバブルメディア６１，６２）が交換可能に接続される。尚、リムーバブルメディア（第一の記録媒体）６１とリムーバブルメディア（第二の記録媒体）６２をリムーバブルメディア（記録媒体）６０と総称する。
【００２９】
操作部１４及びリモコン１５は、記録再生装置の本体電源のオンオフ操作、録画操作、再生操作、等といった各種操作を行うための複数のキー１４ａ，１５ａを有している。操作部１４は、リモコン１５からの操作指令を示す光信号を受信する受光手段を備え、この受光手段により光信号を電気信号に変換して主制御部１０に指令信号を出力する。操作部１４は、例えば、記録再生装置の本体の前面に設けられる。
【００３０】
主制御部１０は、メモリ１２に記憶されているプログラムや情報に従って記録再生装置全体の処理を行うＣＰＵ１１に従って上記各構成要素を制御する。メモリ１２には、本技術のコンテンツ処理プログラムＰ１が書き込まれている。主制御部１０は、ＬＳＩ（Large Scale Integration）を主体とした回路で構成することができる。例えば、主制御部１０は、デマルチプレクサ２２からのコンテンツＣＴ１等を記憶装置に記憶させる制御、記憶装置からのコンテンツＣＴ１等を再生する制御、不揮発性メモリ３０に対してアクセスする制御、等を行う。尚、主制御部１０は、リスト表示制御手段Ｕ１、編集手段Ｕ２、及び、コンテンツ処理手段Ｕ３を構成する。コンテンツ処理プログラムＰ１は、これらの手段Ｕ１〜Ｕ３対応したリスト表示制御機能、編集機能、及び、コンテンツ処理機能をコンピューターに実現させ、不揮発性メモリ３０と協働して一覧情報記憶機能をコンピューターに実現させる。
【００３１】
図２に示す各リムーバブルメディア６０には、複数のコンテンツＣＴ１が記録され、各コンテンツＣＴ１に付加された付加情報ＤＡ２も記録されている。付加情報ＤＡ２には、コンテンツＣＴ１の識別情報（コンテンツＩＤ）、タイトル、記録日時、番組のシリーズを表すシリーズ情報、ジャンル、出演者名、入力されたキーワード、等が含まれる。また、各リムーバブルメディア６０には、リムーバブルメディアの識別情報（記録媒体ＩＤ）、記録媒体名、記録容量、記録残量、等も保持される。図示していないが、内蔵ＨＤＤ４０にも、複数のコンテンツＣＴ１が記録され、各コンテンツＣＴ１に付加された付加情報ＤＡ２が記録され、記録媒体ＩＤ、記録媒体名、記録容量、記録残量、等が保持される。
【００３２】
不揮発性メモリ（一覧情報記憶手段）３０には、データを書き換え可能なフラッシュメモリといった半導体メモリ等を用いることができる。不揮発性メモリ３０は、主制御部１０に接続され、一覧情報ＤＡ１、コンテンツリストＬ１、コマンドリストＣＭＬ、等が格納される。
【００３３】
図３に示すように、各リムーバブルメディア６０に保持されている付加情報ＤＡ２、記録媒体ＩＤ、記録媒体名、記録容量、記録残量、等は、各一覧情報ＤＡ１として不揮発性メモリ３０に記憶される。各一覧情報ＤＡ１は、リムーバブルメディア６０に記録されているコンテンツＣＴ１の一覧を表す。これらの一覧情報ＤＡ１は、コネクタ５０に接続されていないリムーバブルメディアがあっても全て不揮発性メモリ３０に保持される。これらの一覧情報ＤＡ１から図４に示すようなコンテンツリストＬ１が生成されて表示装置８０の画面８１に表示される。コンテンツリストＬ１は、リムーバブルメディア６０間にわたる編集を受け付けるためのリストである。図４に示すコンテンツリストＬ１は、表示画面８１上において、リムーバブルメディア６０毎の各コンテンツＣＴ１の情報（例えばタイトル）が縦方向へ並べられたコンテンツ情報列Ｌ２とされ、これらのコンテンツ情報列Ｌ２が横方向へ並べられている。
【００３４】
リムーバブルメディア６０間にわたって編集されても、編集対象のリムーバブルメディア６０がコネクタ５０に接続されていなければ、編集に従った処理を行うことができない。本記録再生装置１は、編集対象のリムーバブルメディア６０の接続を促すのではなく、編集対象のリムーバブルメディア６０がコネクタ５０に接続されたことをトリガーとして編集に従った処理を行う特徴を有する。この特徴を実現するため、図５に示すようなコマンドリストＣＭＬが不揮発性メモリ３０に記憶される。少なくとも編集対象のリムーバブルメディア６０がコネクタ５０に接続されていない場合、編集対象のリムーバブルメディア６０がコネクタ５０に接続された時点で行うべき編集コマンド（例えば編集コマンドＣＭ１〜ＣＭ７，ＣＭ１１〜ＣＭ１４）がコマンドリストＣＭＬに格納される。
【００３５】
（３）記録再生装置、コンテンツ処理方法、及び、コンテンツ処理プログラムの第一の例：
図６は、コンテンツ編集処理の例を示している。図７は、図６のステップＳ１１４で行われる編集コマンド実行処理の例を示している。以下、「ステップ」の記載を省略する。これらの処理は、主制御部１０が主体となって行う。
コンテンツ編集処理は、例えば、操作部１４及びリモコン１５のキー１４ａ，１５ａによりコンテンツリストＬ１を表示させる操作を受け付けることにより行われる。キー１４ａ，１５ａに設けられるリスト表示キーの１回の操作を受け付けてもよい。尚、図６〜８等に示す処理は、マルチタスクにより他の処理と並列して行われる。第二の例以降においても、同様である。尚、Ｓ１０２はリスト表示制御手段Ｕ１に対応し、Ｓ１０４〜Ｓ１０８は編集手段Ｕ２に対応している。
【００３６】
処理が開始されると、主制御部１０は、コネクタ５０に接続されたことがあるリムーバブルメディア６０について、不揮発性メモリ３０に記憶されている一覧情報ＤＡ１（図３参照）に従って図４に示すようなコンテンツリストＬ１を表示装置８０に表示させる（Ｓ１０２）。コンテンツリストＬ１は、例えば、図３に示す一覧情報ＤＡ１からリムーバブルメディア６０毎にタイトルを抽出して記録媒体名とともに縦方向へ並べてコンテンツ情報列Ｌ２を生成し該コンテンツ情報列Ｌ２を横方向へ並べることにより生成することができる。図４に示す表示画面８１には、「コピー」、「移動」、「削除」、「保護」、といった編集項目も設けられている。
【００３７】
Ｓ１０４では、コンテンツリストＬ１に対する編集を受け付ける。主制御部１０は、表示画面８１に設けられるカーソルＣＲ１を縦横に移動させる操作を操作部１４又はリモコン１５のカーソルキーを押す等により受け付ける。
例えば、「コピー」にカーソルＣＲ１が合わせられて操作部１４又はリモコン１５の確定キーが操作されると、「コピー元の番組を選択して下さい。」といったメッセージが表示される。この表示中にカーソルＣＲ１がコピー元のコンテンツに合わせられて確定キーが操作されると、コピー元のコンテンツの選択操作が受け付けられる。次に、「コピー先の番組を選択して下さい。」といったメッセージが表示される。この表示中にカーソルＣＲ１がコピー先のコンテンツに合わせられて確定キーが操作されると、コピー先のコンテンツの選択操作が受け付けられる。
【００３８】
「移動」にカーソルＣＲ１が合わせられて確定キーが操作されると、「移動元の番組を選択して下さい。」といったメッセージが表示される。この表示中にカーソルＣＲ１が移動元のコンテンツに合わせられて確定キーが操作されると、移動元のコンテンツの選択操作が受け付けられる。次に、「移動先の番組を選択して下さい。」といったメッセージが表示される。この表示中にカーソルＣＲ１が移動先のコンテンツに合わせられて確定キーが操作されると、移動先のコンテンツの選択操作が受け付けられる。
「削除」にカーソルＣＲ１が合わせられて確定キーが操作されると、「削除する番組を選択して下さい。」といったメッセージが表示される。この表示中にカーソルＣＲ１が削除対象のコンテンツに合わせられて確定キーが操作されると、削除するコンテンツの選択操作が受け付けられる。
【００３９】
「保護」にカーソルＣＲ１が合わせられて確定キーが操作されると、「保護を設定／解除する番組を選択して下さい。」といったメッセージが表示される。この表示中にカーソルＣＲ１が対象のコンテンツに合わせられて確定キーが操作されると、保護が設定されていないコンテンツについては保護を設定するコンテンツの選択操作が受け付けられる。また、保護が設定されているコンテンツ（図４の上側では「タイトル１０５」）については保護を解除するコンテンツの選択操作が受け付けられる。
【００４０】
Ｓ１０６では、受け付けた操作に基づいて編集コマンドを生成してコマンドリストＣＭＬとして不揮発性メモリ３０に記憶する。Ｓ１０８では、受け付けた編集に従って順にコンテンツリストＬ１を更新する。Ｓ１１０では、コンテンツリストＬ１の編集を終了するか否かを判断する。例えば、操作部１４又はリモコン１５の終了キーが操作されると、主制御部１０は、Ｓ１０２〜Ｓ１１０の処理を終了させる。コンテンツリストＬ１に対して操作が行われると、主制御部１０は、Ｓ１０２〜Ｓ１１０の処理を繰り返す。
【００４１】
編集コマンドを生成するＳ１０６の処理の具体例は、以下の通りである。
１．コピー元（リムーバブルメディア６１とする。）のコンテンツをコピー先（リムーバブルメディア６２とする）にコピーする場合。コマンドリストＣＭＬのうちコピー元のリムーバブルメディア６１に対応する箇所にコピーコマンドを格納する。このコピーコマンドには、対象コンテンツのコンテンツＩＤとコピー先のリムーバブルメディア６２の記録媒体ＩＤを対応付けて格納する。
２．移動元（リムーバブルメディア６１とする。）のコンテンツを移動先（リムーバブルメディア６２とする）に移動する場合。コマンドリストＣＭＬのうち移動元のリムーバブルメディア６１に対応する箇所に移動コマンドを格納する。この移動コマンドには、対象コンテンツのコンテンツＩＤと移動先のリムーバブルメディア６２の記録媒体ＩＤを対応付けて格納する。
３．ある記録媒体（リムーバブルメディア６１とする。）のコンテンツを削除する場合。コマンドリストＣＭＬのうちリムーバブルメディア６１に対応する箇所に削除コマンドを格納する。この削除コマンドには、対象コンテンツのコンテンツＩＤを対応付けて格納する。
４．ある記録媒体（リムーバブルメディア６１とする。）のコンテンツに保護を設定する場合。コマンドリストＣＭＬのうちリムーバブルメディア６１に対応する箇所に保護設定コマンドを格納する。この保護設定コマンドには、対象コンテンツのコンテンツＩＤを対応付けて格納する。
５．ある記録媒体（リムーバブルメディア６１とする。）のコンテンツの保護を解除する場合。コマンドリストＣＭＬのうちリムーバブルメディア６１に対応する箇所に保護解除コマンドを格納する。この保護解除コマンドには、対象コンテンツのコンテンツＩＤを対応付けて格納する。
【００４２】
例えば、図４の上側のコンテンツリストＬ１に対して以下の操作が順に行われたものとする。
１．メディア１のコンテンツ「タイトル１０１」をメディア２にコピーする操作。
２．メディア１のコンテンツ「タイトル１０２」をメディア２に移動させる操作。
３．メディア１のコンテンツ「タイトル１０３」を削除する操作。
４．メディア１のコンテンツ「タイトル１０４」に保護を設定する操作。
５．メディア１の保護コンテンツ「タイトル１０５」の保護を解除する操作。
６．メディア２のコンテンツ「タイトル２０１」をメディア１にコピーする操作。
７．メディア２のコンテンツ「タイトル２０２」をメディア３に移動させる操作。
【００４３】
上記操作１が行われると、図５の「メディア１」の１番目に示されるようにコピーコマンドＣＭ１が生成され、対象コンテンツの識別情報「ID101」、及び、コピー先の記録媒体の識別情報「IDmedium2」が対応付けられる。
上記操作２が行われると、図５の「メディア１」の２番目に示されるように移動コマンドＣＭ２が生成され、対象コンテンツの識別情報「ID102」、及び、移動先の記録媒体の識別情報「IDmedium2」が対応付けられる。
上記操作３が行われると、図５の「メディア１」の３番目に示されるように削除コマンドＣＭ３が生成され、対象コンテンツの識別情報「ID103」が対応付けられる。
上記操作４が行われると、図５の「メディア１」の４番目に示されるように保護設定コマンドＣＭ４が生成され、対象コンテンツの識別情報「ID104」が対応付けられる。
上記操作５が行われると、図５の「メディア１」の５番目に示されるように保護解除コマンドＣＭ５が生成され、対象コンテンツの識別情報「ID105」が対応付けられる。
上記操作６が行われると、図５の「メディア２」の１番目に示されるようにコピーコマンドＣＭ６が生成され、対象コンテンツの識別情報「ID201」、及び、コピー先の記録媒体の識別情報「IDmedium1」が対応付けられる。
上記操作７が行われると、図５の「メディア２」の２番目に示されるように移動コマンドＣＭ７が生成され、対象コンテンツの識別情報「ID202」、及び、移動先の記録媒体の識別情報「IDmedium3」が対応付けられる。
【００４４】
コンテンツリストＬ１を更新するＳ１０８の処理の具体例は、以下の通りである。
図４には、上述した操作１〜７が行われた場合の更新前後のコンテンツリストＬ１が示されている。図４の上側に更新前のコンテンツリストＬ１が示され、図４の下側に更新後のコンテンツリストＬ１が示されている。上記操作１が行われると、「メディア１」の「タイトル１０１」が「メディア２」のタイトル群の下に付加される。上記操作２が行われると、「メディア１」の「タイトル１０２」が「メディア２」のタイトル群の下に付加され、「メディア１」の「タイトル１０２」が削除され、「タイトル１０２」の下にあったタイトル群が一つずつ上へシフトする。上記操作３が行われると、「メディア１」の「タイトル１０３」が削除され、「タイトル１０３」の下にあったタイトル群が一つずつ上へシフトする。上記操作４が行われると、「メディア１」の「タイトル１０４」に保護が設定される。上記操作５が行われると、「メディア１」の「タイトル１０５」の保護が解除される。上記操作６が行われると、「メディア２」の「タイトル２０１」が「メディア１」のタイトル群の下に付加される。上記操作７が行われると、「メディア２」の「タイトル２０２」が「メディア３」のタイトル群の下に付加され、「メディア２」の「タイトル２０２」が削除され、「タイトル２０２」の下にあったタイトル群が一つずつ上へシフトする。
【００４５】
Ｓ１１２では、コネクタ５０に接続中のリムーバブルメディア６０の識別情報を確認する。その後、主制御部１０は、図７に示す編集コマンド実行処理を行い（Ｓ１１４）、図６に示すコンテンツ編集処理を終了させる。
【００４６】
図７に示す編集コマンド実行処理が開始されると、コマンドリストＣＭＬに格納されている編集コマンドのうち接続中のリムーバブルメディア６０に対応した編集コマンドを順次解釈して対応する処理を行う。
接続中のリムーバブルメディア６０を対象として格納されている最初の編集コマンドがコピーコマンドである場合（Ｓ２０２）、リムーバブルメディア６０からコピー対象コンテンツを読み込んで内蔵ＨＤＤ４０に記憶する（Ｓ２０４）。また、前記コピーコマンドを削除し、内蔵ＨＤＤ４０に記憶されている対象コンテンツをコピー先のリムーバブルメディアに書き込むための書き込みコマンドをコピー先のリムーバブルメディアに対応する箇所においてコマンドリストＣＭＬに格納する（Ｓ２０６）。
【００４７】
接続中のリムーバブルメディア６０を対象として格納されている最初の編集コマンドが移動コマンドである場合（Ｓ２１２）、リムーバブルメディア６０から移動対象コンテンツを内蔵ＨＤＤ４０に移動させる（Ｓ２１４）。また、前記移動コマンドを削除し、内蔵ＨＤＤ４０に記憶されている対象コンテンツを移動先のリムーバブルメディアに書き込むための書き込みコマンドを移動先のリムーバブルメディアに対応する箇所においてコマンドリストＣＭＬに格納する（Ｓ２１６）。
接続中のリムーバブルメディア６０を対象として格納されている最初の編集コマンドが削除コマンドである場合（Ｓ２２２）、リムーバブルメディア６０から削除対象コンテンツを削除する（Ｓ２２４）。また、前記削除コマンドを削除する（Ｓ２２６）。
【００４８】
接続中のリムーバブルメディア６０を対象として格納されている最初の編集コマンドが書き込みコマンドである場合（Ｓ２３２）、内蔵ＨＤＤ４０から書き込み対象コンテンツをリムーバブルメディア６０に移動させる（Ｓ２３４）。また、前記書き込みコマンドを削除する（Ｓ２３６）。
接続中のリムーバブルメディア６０を対象として格納されている最初の編集コマンドが保護設定コマンドである場合（Ｓ２４２）、リムーバブルメディア６０の保護設定対象コンテンツに保護を設定する（Ｓ２４４）。また、前記保護設定コマンドを削除する（Ｓ２４６）。
【００４９】
接続中のリムーバブルメディア６０を対象として格納されている最初の編集コマンドが保護解除コマンドである場合（Ｓ２５２）、リムーバブルメディア６０の保護解除対象コンテンツの保護を解除する（Ｓ２５４）。また、前記保護解除コマンドを削除する（Ｓ２５６）。
Ｓ２６２では、接続中のリムーバブルメディア６０に対応した全編集コマンドに対して対応する処理を行ったか否かを判断する。未処理の編集コマンドがある場合、主制御部１０は、処理をＳ２０２に戻す。全編集コマンドに対して対応する処理を行った場合、主制御部１０は、編集コマンド実行処理を終了させる。
【００５０】
図８は、コネクタ５０にリムーバブルメディア６０が接続されたことをトリガーとしてコンテンツリストＬ１に対する編集に従った処理を行う接続初期処理の例を示している。この処理は、主制御部１０が主体となって行い、記録再生装置１の電源がオンにされている間、繰り返し行われる。尚、接続初期処理は、コンテンツ処理手段Ｕ３に対応している。
【００５１】
処理が開始されると、新たにリムーバブルメディア６０がコネクタ５０に接続されたか否かを判断する（Ｓ３０２）。リムーバブルメディアの新規接続が検知されない場合、Ｓ３０２の処理が繰り返される。リムーバブルメディアの新規接続が検知された場合、主制御部１０は、新たに接続したリムーバブルメディア６０に対応した編集コマンドをコマンドリストＣＭＬから読み出す（Ｓ３０４）。Ｓ３０６では、新たに接続したリムーバブルメディア６０に対応した編集コマンドがあるか否かを判断する。前記編集コマンドがある場合、主制御部１０は、図７で示した編集コマンド実行処理を行い（Ｓ３０８）、接続初期処理を終了させる。前記編集コマンドが無い場合、主制御部１０は、編集コマンド実行処理を行わずに接続初期処理を終了させる。
【００５２】
次に、編集コマンド毎にどのような処理が行われるのかを図９〜１３に従って説明する。
図９は、コピーコマンドが生成された場合に行われるコピーコマンド実行処理の例を示している。判り易く説明するため、コピー元をリムーバブルメディア６１（メディア名＝メディア１）とし、コピー先をリムーバブルメディア６２（メディア名＝メディア２）とし、コネクタ５０にメディア１が接続されていない状態でメディア１のコンテンツ「タイトル１０１」をメディア２にコピーする上記操作１が行われたものとする。
【００５３】
図６で示したコンテンツ編集処理が行われて図５で示したコピーコマンドＣＭ１が生成されると（Ｓ４０２）、主制御部１０は、コネクタ５０に接続中のリムーバブルメディアの識別情報を確認する（Ｓ４０４）。新たにメディア１がコネクタ５０に接続された場合（Ｓ４０６）、主制御部１０は、この接続をトリガーとしてメディア１に記録されている「ID101」のコピー対象コンテンツを内蔵ＨＤＤ４０にコピーする（Ｓ４０８）。Ｓ４１０では、コピーコマンドＣＭ１を削除し、内蔵ＨＤＤ４０に記憶されている対象コンテンツをメディア２に書き込むための書き込みコマンドＣＭ１１をメディア２に対応する箇所においてコマンドリストＣＭＬに格納する。これにより、図５の中間部に示すように書き込みコマンドＣＭ１１が新たに有効化される。
【００５４】
その後、新たにメディア２がコネクタ５０に接続された場合（Ｓ４１２）、主制御部１０は、この接続をトリガーとして内蔵ＨＤＤ４０に読み込まれた「ID101」の対象コンテンツをメディア２に書き込む（Ｓ４１４）。内蔵ＨＤＤ４０からは、「ID101」の対象コンテンツを削除してもよい。主制御部１０は、メディア２に対する書き込みコマンドＣＭ１１をコマンドリストＣＭＬから削除し（Ｓ４１６）、コピーコマンド実行処理を終了させる。これにより、図５の下部に示すようにコマンドリストＣＭＬから書き込みコマンドＣＭ１１が無くなる。
以上説明したように、コンテンツリストＬ１に対するコピー操作に従った処理がリムーバブルメディアの接続をトリガーとして行われる。このため、ユーザーは、コピー操作の直後にリムーバブルメディアを接続する作業を行う必要が無い。従って、リムーバブルメディア間のコンテンツの管理が容易である。
【００５５】
図１０は、移動コマンドが生成された場合に行われる移動コマンド実行処理の例を示している。判り易く説明するため、移動元をリムーバブルメディア６１（メディア名＝メディア１）とし、移動先をリムーバブルメディア６２（メディア名＝メディア２）とし、コネクタ５０にメディア１が接続されていない状態でメディア１のコンテンツ「タイトル１０２」をメディア２に移動する上記操作２が行われたものとする。
【００５６】
図６で示したコンテンツ編集処理が行われて図５で示した移動コマンドＣＭ２が生成されると（Ｓ４２２）、主制御部１０は、コネクタ５０に接続中のリムーバブルメディアの識別情報を確認する（Ｓ４２４）。新たにメディア１がコネクタ５０に接続された場合（Ｓ４２６）、主制御部１０は、この接続をトリガーとしてメディア１に記録されている「ID102」の移動対象コンテンツを内蔵ＨＤＤ４０に移動する（Ｓ４２８）。Ｓ４３０では、移動コマンドＣＭ２を削除し、内蔵ＨＤＤ４０に記憶されている対象コンテンツをメディア２に書き込むための書き込みコマンドＣＭ１２をメディア２に対応する箇所においてコマンドリストＣＭＬに格納する。これにより、図５の中間部に示すように書き込みコマンドＣＭ１２が新たに有効化される。
【００５７】
その後、新たにメディア２がコネクタ５０に接続された場合（Ｓ４３２）、主制御部１０は、この接続をトリガーとして内蔵ＨＤＤ４０に読み込まれた「ID102」の対象コンテンツをメディア２に書き込む（Ｓ４３４）。内蔵ＨＤＤ４０からは、「ID102」の対象コンテンツを削除してもよい。主制御部１０は、メディア２に対する書き込みコマンドＣＭ１２をコマンドリストＣＭＬから削除し（Ｓ４３６）、移動コマンド実行処理を終了させる。これにより、図５の下部に示すようにコマンドリストＣＭＬから書き込みコマンドＣＭ１２が無くなる。
以上説明したように、コンテンツリストＬ１に対する移動操作に従った処理がリムーバブルメディアの接続をトリガーとして行われる。このため、ユーザーは、移動操作の直後にリムーバブルメディアを接続する作業を行う必要が無い。従って、リムーバブルメディア間のコンテンツの管理が容易である。
【００５８】
図１１は、削除コマンドが生成された場合に行われる削除コマンド実行処理の例を示している。判り易く説明するため、リムーバブルメディア６１（メディア名＝メディア１）がコネクタ５０に接続されていない状態でメディア１に記録されているコンテンツ「タイトル１０３」を削除する上記操作３が行われたものとする。
【００５９】
図６で示したコンテンツ編集処理が行われて図５で示した削除コマンドＣＭ３が生成されると（Ｓ４４２）、主制御部１０は、コネクタ５０に接続中のリムーバブルメディアの識別情報を確認する（Ｓ４４４）。新たにメディア１がコネクタ５０に接続された場合（Ｓ４４６）、主制御部１０は、この接続をトリガーとしてメディア１に記録されている「ID103」の削除対象コンテンツを削除する（Ｓ４４８）。主制御部１０は、メディア１に対する削除コマンドＣＭ３をコマンドリストＣＭＬから削除し（Ｓ４５０）、削除コマンド実行処理を終了させる。これにより、図５の中間部に示すようにコマンドリストＣＭＬから削除コマンドＣＭ３が無くなる。
以上説明したように、コンテンツリストＬ１に対する削除操作に従った処理がリムーバブルメディアの接続をトリガーとして行われる。このため、ユーザーは、削除操作の直後にリムーバブルメディアを接続する作業を行う必要が無い。従って、コンテンツの管理が容易である。
【００６０】
図１２は、保護設定コマンドが生成された場合に行われる保護設定コマンド実行処理の例を示している。判り易く説明するため、リムーバブルメディア６１（メディア名＝メディア１）がコネクタ５０に接続されていない状態でメディア１に記録されているコンテンツ「タイトル１０４」に保護を設定する上記操作４が行われたものとする。
【００６１】
図６で示したコンテンツ編集処理が行われて図５で示した保護設定コマンドＣＭ４が生成されると（Ｓ４６２）、主制御部１０は、コネクタ５０に接続中のリムーバブルメディアの識別情報を確認する（Ｓ４６４）。新たにメディア１がコネクタ５０に接続された場合（Ｓ４６６）、主制御部１０は、この接続をトリガーとしてメディア１に記録されている「ID104」の保護設定対象コンテンツに保護を設定する（Ｓ４６８）。主制御部１０は、メディア１に対する保護設定コマンドＣＭ４をコマンドリストＣＭＬから削除し（Ｓ４７０）、保護設定コマンド実行処理を終了させる。これにより、図５の中間部に示すようにコマンドリストＣＭＬから保護設定コマンドＣＭ４が無くなる。
以上説明したように、コンテンツリストＬ１に対する保護設定操作に従った処理がリムーバブルメディアの接続をトリガーとして行われる。このため、ユーザーは、保護設定操作の直後にリムーバブルメディアを接続する作業を行う必要が無い。従って、コンテンツの管理が容易である。
【００６２】
図１３は、保護解除コマンドが生成された場合に行われる保護解除コマンド実行処理の例を示している。判り易く説明するため、リムーバブルメディア６１（メディア名＝メディア１）がコネクタ５０に接続されていない状態でメディア１に記録されているコンテンツ「タイトル１０５」の保護を解除する上記操作５が行われたものとする。
【００６３】
図６で示したコンテンツ編集処理が行われて図５で示した保護解除コマンドＣＭ５が生成されると（Ｓ４８２）、主制御部１０は、コネクタ５０に接続中のリムーバブルメディアの識別情報を確認する（Ｓ４８４）。新たにメディア１がコネクタ５０に接続された場合（Ｓ４８６）、主制御部１０は、この接続をトリガーとしてメディア１に記録されている「ID105」の保護解除対象コンテンツの保護を解除する（Ｓ４８８）。主制御部１０は、メディア１に対する保護解除コマンドＣＭ５をコマンドリストＣＭＬから削除し（Ｓ４９０）、保護解除コマンド実行処理を終了させる。これにより、図５の中間部に示すようにコマンドリストＣＭＬから保護解除コマンドＣＭ５が無くなる。
以上説明したように、コンテンツリストＬ１に対する保護解除操作に従った処理がリムーバブルメディアの接続をトリガーとして行われる。このため、ユーザーは、保護解除操作の直後にリムーバブルメディアを接続する作業を行う必要が無い。従って、コンテンツの管理が容易である。
【００６４】
尚、上述した操作１〜７が行われたときに、コンテンツリストＬ１がどのように変化するのかが図４に示され、コマンドリストＣＭＬがどのように変化するのかが図５に示されている。例えば、メディア２のコンテンツ「タイトル２０１」をメディア１にコピーする操作６が行われた場合、図５の上部に示すようにコピーコマンドＣＭ６がコマンドリストＣＭＬに格納され、コネクタ５０にメディア２が接続されたことをトリガーとして「ID201」のコンテンツが内蔵ＨＤＤ４０にコピーされる。この場合、図５の下部に示すように、メディア１に対する書き込みコマンドＣＭ１３が有効化される。また、メディア２のコンテンツ「タイトル２０２」をメディア３に移動させる操作７が行われた場合、図５の上部に示すように移動コマンドＣＭ７がコマンドリストＣＭＬに格納され、コネクタ５０にメディア２が接続されたことをトリガーとして「ID202」のコンテンツが内蔵ＨＤＤ４０に移動する。この場合、図５の下部に示すように、メディア３に対する書き込みコマンドＣＭ１４が有効化される。
【００６５】
上述した具体例は、コンテンツリストＬ１に対する編集に従った処理がコネクタ５０にリムーバブルメディア６０が接続されたことをトリガーとして行われる。このため、ユーザーは、コンテンツリストＬ１に対する編集を行った直後にリムーバブルメディア６０を接続する作業を行う必要が無い。従って、リムーバブルメディア間のコンテンツの管理が容易である。
【００６６】
（４）記録再生装置、コンテンツ処理方法、及び、コンテンツ処理プログラムの第二の例：
図１４は、第二の例における編集コマンド実行処理を示している。第二の例では、図１に破線で示したようにコネクタ５０が複数ある場合にコピー元とコピー先、又は、移動元と移動先のリムーバブルメディアがそれぞれコネクタ５０に接続される可能性を考慮している。例えば、コネクタ５０にリムーバブルメディア６１，６２が接続されているとする。記録再生装置１は、リムーバブルメディア（第一の記録媒体）６１に記録されているコピー対象のコンテンツＣＴ１を直接、リムーバブルメディア（第二の記録媒体）６２にコピーし、リムーバブルメディア６１に記録されている移動対象のコンテンツＣＴ１を直接、リムーバブルメディア６２に移動させる。図１４に示す処理は、図７で示した処理にＳ５０２〜Ｓ５０６，Ｓ５１２〜Ｓ５１６の処理が追加されている。尚、第二の例における主制御部１０は、図６，８〜１３で示した処理を実行可能である。
【００６７】
図１４に示す編集コマンド実行処理が開始されると、接続中のリムーバブルメディア６１を対象として格納されている最初の編集コマンドがコピーコマンドである場合（Ｓ２０２）、主制御部１０は、コピー先のリムーバブルメディア６２も接続中であるか否かを判断する（Ｓ５０２）。コピー先のリムーバブルメディア６２が接続されていない場合、主制御部１０は、リムーバブルメディア６０からコピー対象コンテンツを読み込んで内蔵ＨＤＤ４０に記憶し、コピーコマンドを削除し、前記対象コンテンツをコピー先のリムーバブルメディア６２に書き込むための書き込みコマンドをコマンドリストＣＭＬに格納する（Ｓ２０４〜Ｓ２０６）。
【００６８】
コピー先のリムーバブルメディア６２が接続されている場合、主制御部１０は、コピー元のリムーバブルメディア６１に記録されている対象コンテンツを直接、コピー先のリムーバブルメディア６２にコピーする（Ｓ５０４）。このとき、対象コンテンツは、内蔵ＨＤＤ４０に読み込まれない。また、主制御部１０は、コピー元のリムーバブルメディア６１に対するコピーコマンドをコマンドリストＣＭＬから削除し（Ｓ５０６）、処理をＳ２１２に進める。
【００６９】
接続中のリムーバブルメディア６１を対象として格納されている最初の編集コマンドが移動コマンドである場合（Ｓ２１２）、主制御部１０は、移動先のリムーバブルメディア６２も接続中であるか否かを判断する（Ｓ５１２）。移動先のリムーバブルメディア６２が接続されていない場合、主制御部１０は、リムーバブルメディア６１から移動対象コンテンツを内蔵ＨＤＤ４０に移動させ、前記移動コマンドを削除し、内蔵ＨＤＤ４０に記憶されている対象コンテンツを移動先のリムーバブルメディアに書き込むための書き込みコマンドをコマンドリストＣＭＬに格納する（Ｓ２１４〜Ｓ２１６）。
【００７０】
移動先のリムーバブルメディア６２が接続されている場合、主制御部１０は、移動元のリムーバブルメディア６１に記録されている対象コンテンツを直接、移動先のリムーバブルメディア６２に移動させる（Ｓ５１４）。このとき、対象コンテンツは、内蔵ＨＤＤ４０に読み込まれない。また、主制御部１０は、移動元のリムーバブルメディア６１に対する移動コマンドをコマンドリストＣＭＬから削除する（Ｓ５１６）。
【００７１】
その後は、図７で示したＳ２２２〜Ｓ２６２の処理が行われる。Ｓ２６２において、主制御部１０は、接続中のリムーバブルメディア６１に対応した全編集コマンドに対して対応する処理を行ったか否かを判断する。未処理の編集コマンドがある場合、主制御部１０は、処理をＳ２０２に戻す。全編集コマンドに対して対応する処理を行った場合、主制御部１０は、編集コマンド実行処理を終了させる。
【００７２】
本具体例は、コネクタ５０にコピー元とコピー先のリムーバブルメディア６１，６２が接続されている場合にコンテンツＣＴ１が直接コピーされ、コネクタ５０に移動元と移動先のリムーバブルメディア６１，６２が接続されている場合にコンテンツＣＴ１が直接移動する。これらの場合に内蔵ＨＤＤ４０を使用する必要が無いので、記録再生装置１の使い勝手が良好である。
【００７３】
（５）記録再生装置、コンテンツ処理方法、及び、コンテンツ処理プログラムの第三の例：
図１５は、第三の例における編集受け付け処理を示している。この処理は、図６で示したＳ１０４〜Ｓ１０６の代わりに行われる。第三の例では、コピー先、又は、移動先の記録媒体の記録残量が少ないとき情報量を減らしてコンテンツＣＴ１を書き込む。例えば、コネクタ５０にコピー先、又は、移動先のリムーバブルメディア（第二の記録媒体）６２が接続されている場合、対象コンテンツＣＴ１のビットレート（情報量）を少なくすることを考慮する。尚、第三の例における主制御部１０は、図７〜１３で示した処理を実行可能である。
【００７４】
図１５に示す編集受け付け処理が開始されると、主制御部１０は、コンテンツリストＬ１に対する編集を受け付ける（Ｓ６０２）。Ｓ６０４では、受け付けた編集がコピー又は移動であるか否かを判断する。受け付けた編集がコピーでも移動でも無ければ、主制御部１０は、受け付けた操作に基づいて編集コマンドを生成してコマンドリストＣＭＬとして不揮発性メモリ３０に記憶し（Ｓ６１６）、編集受け付け処理を終了させる。
【００７５】
受け付けた編集がコピー又は移動である場合、主制御部１０は、書き込み先のリムーバブルメディア６２の記録残量がコピー元又は移動元のリムーバブルメディア６１に記録されている対象コンテンツの容量よりも少ないか否かを判断する（Ｓ６０６）。図２で示したように各リムーバブルメディア６０には記録残量「ｒｒｒＧＢ」が保持され、図３で示したように不揮発性メモリ３０に記憶される一覧情報ＤＡ１には各リムーバブルメディア６０の記録残量「ｒｒｒＧＢ」が含まれている。そこで、不揮発性メモリ３０から書き込み先のリムーバブルメディア６２の記録残量を読み出し、リムーバブルメディア６１に記録されている対象コンテンツの容量と比較すればよい。書き込み先のリムーバブルメディア６２の記録残量が対象コンテンツの容量以上である場合、対象コンテンツの情報量を減らす必要が無いので、主制御部１０は、編集受け付け処理を終了させる。
【００７６】
書き込み先のリムーバブルメディア６２の記録残量が対象コンテンツの容量よりも少ない場合、主制御部１０は、対象コンテンツの情報量を減らす編集を受け付ける（Ｓ６０８）。この処理は、例えば、対象コンテンツの容量がリムーバブルメディア６２の記録残量以下になる１以上のビットレートを選択して表示装置８０に表示させ、いずれかのビットレート又は編集キャンセルを操作部１４又はリモコン１５のキー１４ａ，１５ａの操作により受け付ける処理とすることができる。Ｓ６１０では、対象コンテンツのビットレートを減らすか否かを判断する。いずれかのビットレートが選択操作された場合、主制御部１０は、ビットレートを減らす情報を付加したコピーコマンド又は移動コマンドを生成してコマンドリストＣＭＬとして不揮発性メモリ３０に記憶し（Ｓ６１２）、編集受け付け処理を終了させる。編集キャンセルが選択操作された場合、主制御部１０は、Ｓ６０２で受け付けた編集をキャンセルし（Ｓ６１４）、編集受け付け処理を終了させる。
【００７７】
その後、図７〜１０で示した処理が行われると、書き込み対象のコンテンツのビットレートがリムーバブルメディア６２の記録残量以下に減らされて書き込み対象のコンテンツがリムーバブルメディア６２に書き込まれる。編集コマンドがコピーコマンドである場合には、図７のＳ２０４又はＳ２３４においてコピー対象コンテンツのビットレートがＳ６０８で受け付けられたビットレートに減らされる。編集コマンドが移動コマンドである場合には、図７のＳ２１４又はＳ２３４において移動対象コンテンツのビットレートがＳ６０８で受け付けられたビットレートに減らされる。これにより、ビットレートの減らされた対象コンテンツが図７のＳ２３４においてリムーバブルメディア６２に書き込まれる。
【００７８】
本具体例は、書き込むリムーバブルメディア６０の残量が少なくても情報量が減らされてリムーバブルメディア６０に書き込まれるので、リムーバブルメディア間のコンテンツの書き込みがさらに容易に行われる。
【００７９】
（６）その他変形例：
上述した処理の各ステップの順番は、適宜、変更可能である。例えば、図６の処理において、Ｓ１０６の編集コマンド生成処理の前にＳ１０８のコンテンツリスト更新処理を行ってもよい。
上述した処理において、コンテンツのコピー、コンテンツの移動、コンテンツの削除、コンテンツの保護設定、及び、コンテンツの保護解除の一部が行われない場合も、本技術に含まれる。
【００８０】
（７）結び：
以上説明したように、本発明によると、種々の態様により、記録媒体間のコンテンツの管理を容易にすることが可能な技術等を提供することができる。むろん、独立請求項に係る構成要件のみからなる技術等でも、上述した基本的な作用、効果が得られる。
【００８１】
また、本発明は、前記実施例に限られない。例えば、
・前記実施例の中で開示した相互に置換可能な部材及び構成等を置換して適用すること
・前記実施例の中で開示されていないが、公知技術であって前記実施例の中で開示した部材及び構成等と相互に置換可能な部材及び構成等に置換すること
・前記実施例の中で開示されていないが、公知技術等に基づいて当業者が前記実施例の中で開示した部材及び構成等の代用として想定し得る部材及び構成等に置換すること
は、いずれも実施可能である。これらの置換した態様も、本発明に含まれる。
【符号の説明】
【００８２】
１…記録再生装置、１０…主制御部、
１４…操作部、１４ａ…キー、１５…リモコン、１５ａ…キー、
３０…不揮発性メモリ（一覧情報記憶手段）、
４０…内蔵ハードディスクドライブ（記憶部）、
５０…コネクタ（記録媒体接続部）、
６０，６１，６２…リムーバブルメディア（記録媒体）、
８０…表示装置（表示部）、８１…画面、
ＣＭＬ…コマンドリスト、ＣＴ１…コンテンツ、ＣＲ１…カーソル、
ＤＡ１…一覧情報、ＤＡ２…付加情報、
Ｌ１…コンテンツリスト、Ｌ２…コンテンツ情報列、
Ｐ１…コンテンツ処理プログラム、
Ｕ１…リスト表示制御手段、Ｕ２…編集手段、Ｕ３…コンテンツ処理手段。
【図１】
2016015595.tif 000003
【図２】
2016015595.tif 000004
【図３】
2016015595.tif 000005
【図４】
2016015595.tif 000006
【図５】
2016015595.tif 000007
【図６】
2016015595.tif 000008
【図７】
2016015595.tif 000009
【図８】
2016015595.tif 000010
【図９】
2016015595.tif 000011
【図１０】
2016015595.tif 000012
【図１１】
2016015595.tif 000013
【図１２】
2016015595.tif 000014
【図１３】
2016015595.tif 000015
【図１４】
2016015595.tif 000016
【図１５】
2016015595.tif 000017